(57)【要約】【課題】  状況に応じて消費電力を抑制する無線通信機器を提供する。【解決手段】  ノートＰＣ１０は、ＭＩＭＯ通信等の、複数の送受信系統を使用することが可能である。電源回路３１４に電力を供給するのが外部電源３１２かバッテリ３１３かを判断し、この判断結果に応じて、通信モードを切り換える。より具体的には、外部電源３１２使用時にはスイッチ３１６を接続することで大容量通信が可能なＭＩＭＯ通信を行えるようにし、バッテリ３１３使用時にはスイッチ３１６を開放してアンテナ２６を含む送受信部への電源系統を遮断することで、消費電力を低減する。【選択図】      図３
2006186852.tif 000002
【特許請求の範囲】
【請求項１】
同一の通信方式で共同して無線通信を行う複数の送受信部と、
前記複数の送受信部に電力を供給する電力供給手段と、
前記複数の送受信部の内の一部の送受信部にのみ前記電力供給手段から電力を供給するか否かを所定の条件により切り換える切替手段と
を備え、
前記切替手段により前記一部の送受信部にのみ電力が供給されている場合に、前記一部の送受信部は無線通信を行うことを特徴とする無線通信機器。
【請求項２】
前記切替手段は、前記電力供給手段への電力供給源の種類に基づいて前記一部の送受信部にのみ電力を供給するか、前記複数の送受信部全体に電力を供給するかを切り換えることを特徴とする請求項１記載の無線通信機器。
【請求項３】
前記切替手段は、前記電力供給手段への電力供給源がバッテリである場合に前記一部の送受信部にのみ電力を供給することを特徴とする請求項１記載の無線通信機器。
【請求項４】
請求項１記載の無線通信機器において、
前記電力供給手段への電力供給源はバッテリであり、
前記バッテリの残容量を調べる残容量算出手段をさらに備え、
前記切替手段は、前記残容量算出手段が調べる残容量が所定量以下である場合に、前記一部の送受信部にのみ電力を供給することを特徴とする無線通信機器。
【請求項５】
前記切替手段は、前記送受信部で通信するデータの容量が所定量以上である場合に、前記複数の送受信部全体に電力を供給することを特徴とする請求項１記載の無線通信機器。
【請求項６】
請求項１記載の無線通信機器において、
前記送受信部と通信する無線機器の種類を判別する機器種別判断手段をさらに備え、
前記切替手段は、前記機器種別判断手段が判別する前記無線機器の機器種別に基づいて、前記一部の送受信部にのみ電力を供給するか、前記複数の送受信部全体に電力を供給するかを切り換えることを特徴とする無線通信機器。
【請求項７】
同一の通信方式で共同して無線通信を行う複数の送受信部と、
前記複数の送受信部の内の一部の送受信部にのみ電力を供給するか、前記複数の送受信部全体に電力を供給するかを切り換える切替手段と
を備え、
前記切替手段により前記一部の送受信部にのみ電力が供給されている場合に、前記一部の送受信部は無線通信を行うことを特徴とする無線通信基板。
【発明の詳細な説明】
【技術分野】
【０００１】
本発明は、無線通信機器及び無線通信基板に関する。
【背景技術】
【０００２】
近年、映像データ等の大容量のデータの送受信を可能とするべく、無線通信の高速化が図られている。そのひとつとして、例えば無線ＬＡＮ（Ｌｏｃａｌ  Ａｒｅａ  Ｎｅｔｗｏｒｋ）においては、ＭＩＭＯ（Ｍｕｌｔｉｐｌｅ  Ｉｎｐｕｔ  Ｍｕｌｔｉｐｌｅ  Ｏｕｔｐｕｔ）通信が注目されている。ＭＩＭＯ通信では、複数の送受信部を用いてデータを送受信することで、通信容量を増加させる。
【０００３】
ＭＩＭＯ通信では、複数の送受信部を用いることにより消費電力が増加するため、この消費電力を抑える技術も考えられている（例えば、特許文献１）。特許文献１では、周波数の変換を行う周波数変換部を各送受信部で共有することにより、消費電力を抑える技術が提案されている。
【０００４】
【特許文献１】特開２００４−１２９０６６号公報
【発明の開示】
【発明が解決しようとする課題】
【０００５】
しかしながら、特許文献１記載の技術では、全体的な消費電力を抑制することはできるものの、あくまで複数ある送受信部を全て一体的に使用するため、状況に応じた消費電力の抑制を図ることはできない。例えば、送信側、受信側のそれぞれが送受信部を２系統持つＭＩＭＯ通信では、一般に通常の１系統の無線ＬＡＮ通信と比して１．５倍以上の消費電力を要するため、これにより駆動時間中この１．５倍の消費電力を使用し続けることになる。供給可能な電力が限定されている場合、例えばノートＰＣ（Ｐｅｒｓｏｎａｌ  Ｃｏｍｐｕｔｅｒ）をバッテリで駆動させている場合等には、このような消費電力の増加は課題となる。
【０００６】
そこで本発明は、状況に応じて消費電力を抑制する無線通信機器を提供することを目的とする。
【課題を解決するための手段】
【０００７】
上記目的を達成するために、本発明の無線通信機器は、同一の通信方式で共同して無線通信を行う複数の送受信部と、前記複数の送受信部に電力を供給する電力供給手段と、前記複数の送受信部の内の一部の送受信部にのみ前記電力供給手段から電力を供給するか否かを所定の条件により切り換える切替手段とを備え、前記切替手段により前記一部の送受信部にのみ電力が供給されている場合に、前記一部の送受信部は無線通信を行うことを特徴とする。
【０００８】
本発明の無線通信基板は、同一の通信方式で共同して無線通信を行う複数の送受信部と、前記複数の送受信部の内の一部の送受信部にのみ電力を供給するか、前記複数の送受信部全体に電力を供給するかを切り換える切替手段とを備え、前記切替手段により前記一部の送受信部にのみ電力が供給されている場合に、前記一部の送受信部は無線通信を行うことを特徴とする。
【発明の効果】
【０００９】
本発明によれば、状況に応じて消費電力を抑制する無線通信機器を提供することができる。
【発明を実施するための最良の形態】
【００１０】
以下、本発明の無線通信機器及び無線通信基板について、図面を参照しながら説明する。
【実施例１】
【００１１】
図１は、本発明の無線通信機器の実施例であるノートＰＣを含む通信システムの構成を示す概念図である。この通信システムは、ノートＰＣ１０及び通信機器１１から構成されており、それぞれ無線ＬＡＮによる送受信が可能なアンテナを２本ずつ有している。ノートＰＣ１０及び通信機器１１は、この２本のアンテナを用いてデータの送受信を行う。尚、通信機器１１は、無線ＬＡＮによる送受信が行えればどのような機器であってもよく、例えばＴＶチューナを内蔵したテレビや、ノートＰＣ、プリンタ等であることが考えられる。
【００１２】
図２は、ノートＰＣ１０におけるアンテナ及び無線通信を行うｍｉｎｉ  ＰＣＩカードの実装例を示した図である。ノートＰＣ１０は、大きく分けてコンピュータ本体２１と表示部筐体２２とから構成されており、両者はヒンジ部２３を介して回動可能に接合されている。
【００１３】
コンピュータ本体２１には、ＣＰＵ、メモリ等を搭載したコンピュータ基板（図示せず）が実装されると共に、無線通信モジュールを搭載したｍｉｎｉ  ＰＣＩカード２４（無線通信基板）が実装される。また表示部筐体２２には、表示部２５が設けられると共に、ヒンジ部２３に対向する自由端側に、左右に離間してアンテナ２６、２７が実装される。このアンテナ２６、２７は、それぞれ同軸ケーブル２８、２９を介してコンピュータ本体２１に実装される無線通信モジュールであるｍｉｎｉ  ＰＣＩカード２４に回路接続される。ノートＰＣ２３使用時には、表示部筐体２２がコンピュータ本体２１上より開放されるので、このようなアンテナ２６、２７の配置により放射特性の良好な位置に配されることとなる。
【００１４】
図３は、ノートＰＣ１０の構成を示すブロック図である。ノートＰＣ１０は、ＣＰＵ（Ｃｅｎｔｒａｌ  Ｐｒｏｃｅｓｓｉｎｇ  Ｕｎｉｔ）３０１と、ＣＰＵ３０１とバス３０２を介して接続されるメモリ３０３、ＨＤＤ（Ｈａｒｄ  Ｄｉｓｋ  Ｄｒｉｖｅ）３０４、及び表示部２５と、同じくバス３０２に接続され、無線通信の制御を行う無線回路３０５と、無線回路３０５から出力される送信信号を増幅する電力増幅器（以下ＰＡ：Ｐｏｗｅｒ  Ａｍｐ）３０６、３０７と、アンテナ２６、２７と、アンテナ２６、２７で受信した受信信号を増幅する低雑音増幅器（以下ＬＮＡ：Ｌｏｗ  Ｎｏｉｓｅ  Ａｍｐ）３０８、３０９と、受信及び送信を切り換えるスイッチ３１０、３１１と、外部電源３１２及びバッテリ３１３からの電源をＰＡ３０６、３０７に供給する電源回路３１４と、ＭＩＭＯ通信モードと既存の１系統の送受信部を用いる通信（以下、通常通信モード」と呼ぶ）とを切り換える電源制御回路３１５と、ＰＡ３０６への電源供給の有無を切り換えるスイッチ３１６とから構成される。尚、これらの内、無線回路３０５、ＰＡ３０６、３０７、ＬＮＡ３０８、３０９、スイッチ３１０、３１１は、図２に示したｍｉｎｉ  ＰＣＩカード２４上に実装される。
【００１５】
ＣＰＵ３０１は、ノートＰＣ１０全体の動作を統括制御するために設けられたプロセッサであり、電源供給を受けるのが外部電源３１２からか若しくはバッテリ３１３からか等に基づいて通信モードを切り換える機能を持つプログラムを実行する。メモリ３０３は、上記プログラムの実行の際に参照される。ＨＤＤ３０４は、大容量記憶装置であり、無線機器１１に向けて送信するデータ等が格納される。
【００１６】
無線回路３０５は、ＣＰＵ３０１の制御の下、通信プロトコルに基づいてＭＡＣ（Ｍｅｄｉａ  Ａｃｃｅｓｓ  Ｃｏｎｔｒｏｌ）アドレスやＩＰ（Ｉｎｔｅｒｎｅｔ  Ｐｒｏｔｏｃｏｌ）アドレス等の設定を行う。また、ＭＩＭＯ通信モード及び１系統の送受信部（ここで送受信部とは、ＰＡ、ＬＮＡ、アンテナ、スイッチから構成される）しか使用しない通常通信モードによる通信制御、ＩＥＥＥ８０２．１１ａ方式、ＩＥＥＥ８０２．１１ｂ方式、ＩＥＥＥ８０２．１１ｇ方式による通信制御等も行う。
【００１７】
ＰＡ３０６及び３０７は、それぞれ一端を無線回路３０５に接続されており、他端をそれぞれスイッチ３１０を介してアンテナ２６に、スイッチ３１１を介してアンテナ２７に接続されている。無線回路３０５から入力され、アンテナ２６、２７から送信する送信信号を例えば１５ｄＢｍ等の所定の出力レベルに増幅する役割を果たす。
【００１８】
ＬＮＡ３０８及び３０９は、それぞれ一端をスイッチ３１０を介してアンテナ２６に、スイッチ３１１を介してアンテナ２７に接続されており、他端は無線回路３０５に接続されている。ＬＮＡ３０８、３０９は、アンテナ２６、２７から受信し、無線回路３０５に出力する受信信号を増幅役割を果たす。このとき増幅された受信信号は、ノイズが低く、歪みの小さい特性を持つ。
【００１９】
スイッチ３１０及び３１１は、送受信を切替えるためのスイッチである。スイッチ３１０は、無線回路３０５の制御の下、アンテナ２６からデータを送信する際にはＰＡ３０６側に、アンテナ２６からデータを受信する際にはＬＮＡ３０８側に接続を切替える。スイッチ３１１も同様であり、無線回路３０５の制御の下、アンテナ２７からデータを送信する際にはＰＡ３０７側に、アンテナ２７からデータを受信する際にはＬＮＡ３０９側に接続を切替える。
【００２０】
電源回路３１４は、ＣＰＵ３０１の制御の下、電源を外部電源３１２若しくはバッテリ３１３のいずれかに切り替え、適当な電圧に変換した後、ＰＡ３０６、３０７に電力を供給する役割を果たす。尚、電源回路３１４からＰＡ３０６への経路の途中にはスイッチ３１６が挿入され、ＰＡ３０６へ電力を供給するか否かを切替えることができるようになっている。
【００２１】
電源制御回路３１５は、ＣＰＵ３０１の制御の下、通信モードをＭＩＭＯ通信モードか通常通信モードかを切替える。具体的には、スイッチ３１６の開放／接続を切替えて、ＰＡ３０６への電源回路３１４からの電源供給の有無を切り替え、さらに、無線回路３０５へ制御信号を送り、通信モードをＭＩＭＯ通信か、若しくは通常の無線ＬＡＮ通信かを切替える。
【００２２】
続いて、通信方法を決定する際の流れを説明する。まずユーザは、予め通信モードに関する設定を行う。図４は、ユーザが通信モードを設定する通信モードの設定画面の例である。ユーザは図４の設定画面において、通常通信モードか（ボタン４１）、ＭＩＭＯ通信モードか（ボタン４２）、両者を自動的に切り換えるか（ボタン４３）のいずれかを選択することが可能である。
【００２３】
さらに、ボタン４３が選択された場合（即ち、自動的に切り換える場合）には、チェックボックス４４とチェックボックス４５により、何を元に通信モードを切り換えるかを設定することができる。チェックボックス４４にチェックを入れた場合には、電源状態により、ＭＩＭＯ通信モードと通常通信モードを切り換える。即ち、ノートＰＣ１０の電源供給源がバッテリ３１３である場合には省電力を図る、通常モードで通信を行うようにする。
【００２４】
チェックボックス４５にチェックを入れた場合には、データサイズを元にＭＩＭＯ通信モードと通常通信モードを切り換える。このとき切り換える閾値は、予めユーザが設定する。図５は、通信モードと通常通信モードとを切り換える閾値を設定する設定画面である。図５の設定画面では、ボックスの中にユーザは任意の数字を挿入し、その設定数値以上のファイルサイズ（図６．１の例では５００ｋＢ）であれば、ＭＩＭＯ通信モードを行い、それ以下であれば、通常通信モードで通信を行う。尚、図４及び図５に示した設定画面での設定は、メモリ３０３に記憶される。
【００２５】
次に、図４及び図５のような設定画面でのユーザの設定に基づき、通信方法は決定される。図６は、通信機器１１との通信における通信方法を決定する際のノートＰＣ１０の処理の流れを示すフローチャートである。
【００２６】
まずＣＰＵ３０１は、メモリ３０３に記憶された、ユーザの通信モードの設定を参照する（ステップ４０１）。ユーザが通常モードのみで通信を行うように設定している場合には（ステップ４０１の「通常通信モード」）、通常通信モードで通信を行うべく、ＣＰＵ３０１は、電源制御回路３１５によりスイッチ３１６を開放し、電源回路３１４からＰＡ３０６への電力供給を遮断する（ステップ４０２）。またこれと共に、無線回路３０５に対して、通常通信モードにて通信を行う旨の制御信号を送る（ステップ４０３）。
【００２７】
ユーザがＭＩＭＯ通信モードのみで通信を行うように設定している場合には（ステップ４０１の「ＭＩＭＯ通信モード」）、ＭＩＭＯ通信を行うべく、ＣＰＵ３０１は、電源制御回路３１５によりスイッチ３１６を接続し、電源回路３１５からＰＡ３０６への電力供給を行う（ステップ４０４）。またこれと共に、無線回路３０５に対して、ＭＩＭＯ通信モードで通信を行う旨の制御信号を送る（ステップ４０５）。
【００２８】
ユーザがＭＩＭＯ通信モードと通常通信モードを自動的に切り換えるように設定している場合には（ステップ４０１の「自動切換」）、ＣＰＵ３０１は、電源状態によってユーザが通信モードを切り換えるように設定しているか否かをメモリ３０３に記憶されたユーザの設定を参照して判断する（ステップ４０６）。より具体的には、ユーザが図４の設定画面でボタン３２を選択した上で、チェックボックス４４にチェックを入れているか否かである。
【００２９】
ユーザが電源状態によって通信モードを切り換えるように設定している場合には（ステップ４０６のＹｅｓ）、電源回路３１４が外部電源３１２から電力供給を受けているのか、バッテリ３１３から電力供給を受けているのかを判断する（ステップ４０７）。バッテリ３１３から電力供給を受けていれば（ステップ４０７のＮｏ）、消費電力を抑制する必要があるものと判断し、より消費電力の低い、通常モードでの通信とする（ステップ４０２、ステップ４０３）。
【００３０】
電源回路３１４が外部電源３１２から電力供給を受けていれば（ステップ４０７のＹｅｓ）、若しくはユーザが電源状態によって通信モードを切り換えるように設定していなければ（ステップ４０６のＮｏ）、ＣＰＵ３０１は、次にユーザがデータサイズによって通信モードを切り換えるように設定しているか否かをメモリ３０３を参照して判断する（ステップ４０８）。より具体的には、ユーザが図４の設定画面でボタン３２を選択した上で、チェックボックス４５にチェックを入れているか否かである。
【００３１】
ユーザがデータサイズによって通信モードを切り換えるように設定している場合には（ステップ４０８のＹｅｓ）、ＣＰＵ３０１は、送信若しくは受信するファイルのデータサイズが図５の設定画面でユーザが設定した閾値以上であるか否かによって判断される。このユーザの設定した閾値は、メモリ３０３に格納されている。データサイズがこの閾値未満であれば、大容量通信は特に必要ないものと判断し、通常通信モードでの通信とする（ステップ４０２、ステップ４０３）。
【００３２】
送信若しくは受信するファイルのデータサイズが閾値以上である場合（ステップ４０９のＹｅｓ）、若しくはデータサイズによって通信モードを切り換えるようにユーザが設定していない場合には（ステップ４０８のＮｏ）、ＭＩＭＯ通信モードでの通信とする（ステップ４０４、ステップ４０５）。
【００３３】
以上のようにしてＭＩＭＯ通信モードで通信を行うか、若しくは通常通信モードで通信を行うかを判断した後（ステップ４０３、又はステップ４０５）、通信で使用する周波数を決定する。詳述すると、まず２．４ＧＨｚ帯の電波干渉の多さを調べる（ステップ４１０）。この電波干渉の多さは、例えば周囲にある２．４ＧＨｚ帯で通信を行っているクライアント数を調べることにより判断することが可能であり、２．４ＧＨｚ帯で通信を行うクライアントが例えばある所定数以上あれば、電波干渉が多いものと判断し（ステップ４１０のＮｏ）、５ＧＨｚ帯での通信（ＩＥＥＥ８０２．１１ａ方式）を行う（ステップ４１１）。
【００３４】
２．４ＧＨｚ帯での電波干渉が少ないと判断されれば（ステップ４１０のＹｅｓ）、２．４ＧＨｚ帯で通信（ＩＥＥＥ８０２．１１ｇ方式）を行う（ステップ４１２）。
【００３５】
このようにして通信方式を決定した後、当該通信方式に従って、ノートＰＣ１０は、通信機器１１と通信を行う。
以上説明したように、本実施例によれば、外部電源３１２からの電力供給かバッテリ３１３からの電力供給かに基づいて、若しくはユーザの設定により電力消費量を低減させるべきか否かを判断し、その判断に基づいて、送受信部（ここで送受信部とは、ＰＡ、アンテナ、ＬＮＡから成るものを指す）を１系統しか（即ちＰＡ３０７、アンテナ２７、ＬＮＡ３０９）使わない通常の無線ＬＡＮ通信か、若しくは複数のアンテナを使用し、大容量通信が可能なＭＩＭＯ通信かを選択する。これにより、状況に応じて消費電力を抑制することが可能となる。特に、バッテリ駆動時には、ＭＩＭＯ通信を行わないようにすることが可能であるので、バッテリ３１３の長時間使用が可能となる。
【００３６】
本実施例では、ユーザの設定により、ＭＩＭＯ通信か通常通信かを選択することができ、また、自動切換えを行う際にも、この切替を電源状態に基づいて行うか否か、データサイズに基づいて行うか否かを設定することができる。これにより、消費電力を低減するか、若しくは通信容量を求めるかをユーザの志向に基づいて行うことができる。
【００３７】
本実施例によれば、通信するファイルのデータサイズの大きさに応じて、使用する通信モードを切り換えている。ＭＩＭＯ通信等の大容量通信を行う場合には、一般にＣＰＵ３０１への負荷が増大するが、本実施例に拠れば、例えばテキストデータ等のデータサイズが小さい場合には大容量通信を行わないようにするので、ＣＰＵ３０１への余計な負荷を軽減することができる。
【００３８】
また、本実施例では、電波干渉状況に応じて使用する周波数帯を決定しているため、余計な電波干渉を防ぐことができる。
尚本実施例では、ユーザの設定、電力供給源、データサイズに基づいて通信モードを決定しているが、この実施形態に限定されるものではなく、例えば、通信機器１１の種類によって設定できるようにしても良い。図７は、接続機器１１の設定画面である。図７の設定画面では、接続機器１１の機器種別（図７の例ではＴＶ、ノートＰＣ、プリンタ）、それぞれの機器のＭＡＣアドレス、使用する通信モード（ＴＶ及びプリンタであればＭＩＭＯ通信、ノートＰＣであれば通常通信）を設定できるようにしている。ここでのユーザの設定に基づき、接続機器１１の種類に従って通信モードを決定できるようにすれば、リアルタイム性が高いＴＶ等との通信では、強制的にＭＩＭＯ通信を行うことが可能となる。
【００３９】
或いは、バッテリ３１３による駆動によりＭＩＭＯ通信を行っている場合に、電源回路３１４及びＣＰＵ３０１からバッテリ３１３の残容量を常に、若しくは定期的に調べ、バッテリ３１３の残容量がある一定値（例えば、容量の半分）になった場合に、自動的に通常通信モードに切り換えるようにしてもよい。
【００４０】
図８は、バッテリ残容量に基づいて通信モードを切り換える際の処理の流れを示すフローチャートである。尚、このフローチャート開始時点では、ノートＰＣ１０はバッテリ３１３からの電源供給により駆動しており、ＭＩＭＯ通信を通信装置１１と行っているものとする。この、ＭＩＭＯ通信時に、電源回路３１４及びＣＰＵ３０１は、バッテリ３１３の残容量を監視する（ステップ８０１）。残容量が所定量（例えば、容量の半分）以上であれば（ステップ８０１のＮｏ）ＭＩＭＯ通信を続ける。残容量が所定量を下回れば（ステップ８０１のＹｅｓ）通常通信モードに切り換える（ステップ８０２）。このとき、図６のステップ４１０乃至ステップ４１２と同様に、使用する周波数帯を決定する。具体的には、２．４ＧＨｚ帯の電波干渉の多さを調べ（ステップ８０３）、この電波干渉が多ければ（ステップ８０３のＮｏ）、５ＧＨｚ帯での通信（ＩＥＥＥ８０２．１１ａ方式）を行い（ステップ８０４）、少なければ（ステップ８０３のＹｅｓ）、２．４ＧＨｚ帯での通信（ＩＥＥＥ８０２．１１ｇ方式）を行う（ステップ８０５）。
【００４１】
このようにすれば、例えば短時間しかバッテリ３１３で駆動させないような場合にはＭＩＭＯ通信を行うことができるし、長時間使用する場合には、途中から消費電力の少ない通常通信モードに切り替わることでバッテリ３１３による使用時間を延ばすことが可能となる。また、このような実施形態にした場合には、残容量が何％になった段階でＭＩＭＯ通信モードから通常通信モードに切り換えるかをユーザが設定できるようにしてもよい。
【００４２】
本実施例では、用いる送受信部は２系統であったが、それ以上の送受信部を持つ構成であっても良い。この場合には、多段階の制御を行うことも可能である。例えば３系統の送受信部を持つ場合には、１系統、２系統、３系統の３段階に分けて制御し、消費電力及び必要な通信容量に基づいて使用する系統数を決定することができる。
【００４３】
また、本実施例では、ｍｉｎｉ  ＰＣＩカード２４上には、無線回路３０５、ＰＡ３０６、３０７、ＬＮＡ３０８、３０９、スイッチ３１０、３１１が実装されているが、この構成に限定されるものではなく、例えば図９に示したように、無線回路３０５、ＰＡ３０６、３０７、ＬＮＡ３０８、３０９、スイッチ３１０、３１１、電源制御回路３１５、スイッチ３１６を実装しても良い。前者のような構成であればｍｉｎｉ  ＰＣＩカード２４の汎用性が高まり、後者のような構成であればノートＰＣ１０（ｍｉｎｉ  ＰＣＩカード２４以外の構成）の汎用性を高めることが可能となる。尚、図９のような構成を取った場合でも、接続方法の決定に係る処理等は、図３の構成を取った場合と同様となるため、説明を省略する。
【図面の簡単な説明】
【００４４】
【図１】本発明の実施例１に係るノートＰＣを含む通信システムの構成を示す概念図。
【図２】本発明の実施例１に係るノートＰＣにおけるアンテナ及び無線通信を行うｍｉｎｉ  ＰＣＩカードの実装例を示した図。
【図３】本発明の実施例１に係るノートＰＣの構成を示すブロック図。
【図４】本発明の実施例１に係るノートＰＣにおいて、通信モードを設定するための通信モードの設定画面の例。
【図５】本発明の実施例１に係るノートＰＣにおいて、通信モードを切り換えるデータサイズの閾値を設定する設定画面の例。
【図６】本発明の実施例１に係るノートＰＣの通信方法を決定する際の処理の流れを示すフローチャート。
【図７】本発明の変形例に係るノートＰＣの通信方法を決定するために接続機器の設定を行う設定画面の例。
【図８】本発明の変形例に係るノートＰＣの通信方法を変更する際の処理の流れを示すフローチャート。
【図９】本発明の変形例に係るノートＰＣの構成を示すブロック図。
【符号の説明】
【００４５】
１０・・・ノートＰＣ
１１・・・通信機器
２１・・・コンピュータ本体
２２・・・表示部筐体
２３・・・ヒンジ部
２４・・・ｍｉｎｉ  ＰＣＩカード
２５・・・表示部
２６、２７・・・アンテナ
２８、２９・・・同軸ケーブル
４１、４２、４３・・・ボタン
４４、４５・・・チェックボックス
３０１・・・ＣＰＵ
３０２・・・バス
３０３・・・メモリ
３０４・・・ＨＤＤ
３０５・・・無線回路
３０６、３０７・・・電力増幅器
３０８、３０９・・・低雑音増幅器
３１０、３１１・・・スイッチ
３１２・・・外部電源
３１３・・・バッテリ
３１４・・・電源回路
３１５・・・電源制御回路
３１６・・・スイッチ
【図１】
2006186852.tif 000003
【図２】
2006186852.tif 000004
【図３】
2006186852.tif 000005
【図４】
2006186852.tif 000006
【図５】
2006186852.tif 000007
【図６】
2006186852.tif 000008
【図７】
2006186852.tif 000009
【図８】
2006186852.tif 000010
【図９】
2006186852.tif 000011